(57)【要約】【課題】テレビなどのディスプレイに映し出された画像を見つつも、良好な睡眠状態を得ることが目的とされる。【解決手段】環境調整システムは、主として空調機１とディスプレイ２を備える。空調機１は、温調制御部１１、送信部１２及び温調部１３を備える。ディスプレイ２は、映写制御部２１、受信部２３及び映写部２４を備える。温調制御部１１は、送信部１２にディスプレイ２へと制御指令Ｓ２１を送信させる。制御指令Ｓ２１は、ディスプレイ２に画像の色調を制御させる。受信部２３は、空調機１から送信された制御指令Ｓ２１を受信し、映写制御部２１は、制御指令Ｓ２１に基づいて、画像を沈静作用のある色調で映写部２４に表示させる。その後、温調制御部１１は、温調部１３に環境温度を低下させる。【選択図】図１
2006095232.tif 000002
【特許請求の範囲】
【請求項１】
色調を可変として画像の表示もしくは投射を行う映写部（２４）と、
環境温度の調節を行う温調部（１３）と、
前記画像の色調の変化と前記環境温度の前記調節とを相互に関連付けて、それぞれ前記映写部及び前記温調部を制御する制御部（１１，２１）と
を備える、環境調整システム。
【請求項２】
前記映写部（２４）が前記色調を沈静作用のある色調へと変化させてから、前記温調部（１３）が前記環境温度を低下させる、請求項１記載の環境調整システム。
【請求項３】
入眠時点を検出する入眠センサ
をさらに備え、
前記制御部（１１）は、前記入眠センサで検出された前記入眠時点から、前記温調部（１３）に対して前記環境温度を低下させる制御を行う、請求項２記載の環境調整システム。
【請求項４】
前記色調を沈静作用のある色調へと変化させる際に、前記映写部（２４）に設定される色温度が低下する、請求項２または請求項３記載の環境調整システム。
【請求項５】
前記色調を沈静作用のある色調へと変化させる際に、前記画像の輝度が低下する、請求項２乃至請求項４のいずれか一つに記載の環境調整システム。
【請求項６】
音響を発生する音響発生部（４）
を更に備え、
前記色調が沈静作用のある色調へと変化するに伴って、前記音響の音量が減少する、請求項２乃至請求項５のいずれか一つに記載の環境調整システム。
【請求項７】
前記温調部（１３）が前記環境温度を上昇させてから、前記映写部（２４）が前記色調を興奮作用のある色調へと変化させる、請求項１記載の環境調整システム。
【請求項８】
覚醒時点を検出する覚醒センサ
をさらに備え、
前記制御部（１１）は、前記覚醒センサで検出された前記覚醒時点から、前記映写部（２４）に対して前記画像の色調を興奮作用のある色調へと変化させる制御を行う、請求項７記載の環境調整システム。
【請求項９】
前記色調を興奮作用のある色調へと変化させる際に、前記映写部（２４）に設定される色温度が上昇する、請求項７または請求項８記載の環境調整システム。
【請求項１０】
前記色調を興奮作用のある色調へと変化させる際に、前記画像の輝度が上昇する、請求項７乃至請求項９のいずれか一つに記載の環境調整システム。
【請求項１１】
音響を発生する音響発生部（４）
を更に備え、
前記色調が興奮作用のある色調へと変化するに伴って、前記音響の音量が増大する、請求項７乃至請求項１０のいずれか一つに記載の環境調整システム。
【請求項１２】
前記制御部は、
前記温調部（１３）の動作を制御する温調制御部（１１）と、
前記映写部（２４）の動作を制御する映写制御部（２１）と
を有し、
前記温調部と前記温調制御部とを含む空調機（１）と、
前記映写部と前記映写制御部とを含むディスプレイ（２）と
が設けられる、請求項２乃至請求項１１のいずれか一つに記載の環境調整システム。
【請求項１３】
前記制御部は、
前記温調部（１３）の動作を制御する温調制御部（１１）と、
前記映写部（２４）の動作を制御する映写制御部（２１）と、
前記音響発生部（４）の動作を制御する音響制御部（２１）と
を有し、
前記温調部と前記温調制御部とを含む空調機（１）と、
前記映写部と前記映写制御部と前記音響制御部とを含むディスプレイ（２）が設けられる、請求項６または請求項１１記載の環境調整システム。
【請求項１４】
前記空調機（１）は、第１制御指令（Ｓ２１）を送信する送信部（１２）を更に含み、
前記ディスプレイ（２）は、前記第１制御指令を受信する第１受信部（２３）を更に含み、
前記温調制御部（１１）は、前記送信部に前記第１受信部へと前記第１制御指令を送信させ、
前記映写制御部（２１）は、前記第１受信部で受信された前記第１制御指令に基づいて、前記画像の前記色調を変化させて前記映写部に表示もしくは投射させる、請求項１２または請求項１３記載の環境調整システム。
【請求項１５】
第２制御指令（Ｓ１１）を送信するリモートコントローラ（３）
を更に備え、
前記空調機（１）は、前記第２制御指令を受信する第２受信部（１４）を更に含み、
前記温調制御部（１１）は、
前記第２受信部で受信された前記第２制御指令に基づいて、前記温調部（１３）に前記環境温度を制御させ、
前記第２制御指令に基づいて前記第１制御指令（Ｓ２１）を前記送信部（１２）に前記第１受信部（２３）へと送信させる、請求項１４記載の環境調整システム。
【請求項１６】
第１制御指令（Ｓ２１）を送信するリモートコントローラ（３）
を更に備え、
前記空調機（１）は、第２制御指令（Ｓ２０１）を送信する送信部（１２）を更に含み、
前記ディスプレイ（２）は、前記第１制御指令を受信する第１受信部（２３）を更に含み、
前記温調制御部（１１）は、前記送信部（１２）にリモートコントローラへと前記第２制御指令を送信させ、
前記リモートコントローラは、受信した前記第２制御指令に基づいて、前記第１受信部へと前記第１制御指令を送信し、
前記映写制御部（２１）は、前記第１受信部で受信された前記第１制御指令に基づいて、前記画像の前記色調を変化させて前記映写部に表示もしくは投射させる、請求項１２または請求項１３記載の環境調整システム。
【請求項１７】
前記映写部（２４）の制御を指令する第１制御指令（Ｓ２１）と、前記温調部（１３）の制御を指令する第２制御指令（Ｓ１１）とを送信する送信部（３２）と、
前記送信部を制御する送信制御部（３１）と
を含むリモートコントローラ（３）を更に備え、
前記ディスプレイ（２）は、前記第１制御指令を受信する第１受信部（２３）を更に含み、
前記空調機（１）は、前記第２制御指令を受信する第２受信部（１４）を更に含み、
前記送信制御部は前記送信部に、前記第１受信部へと前記第１制御指令を送信させ、前記第２受信部へと前記第２制御指令を送信させ、
前記映写制御部（２１）は、前記第１受信部で受信された前記第１制御指令に基づいて、前記画像の前記色調を変化させて前記映写部（２４）に表示もしくは投射させ、
前記温調制御部（１１）は、前記第２受信部で受信された前記第２制御指令に基づいて、前記温調部（１３）に前記環境温度を変化させる、請求項１２または請求項１３記載の環境調整システム。
【請求項１８】
前記送信制御部（３１）には、前記空調機（１）の制御を指令する第３制御指令（Ｓ１）が入力され、
前記送信制御部は、
前記第３制御指令に基づく前記第２制御指令（Ｓ１１）を前記送信部（３２）に前記第２受信部（１４）へと送信させ、
前記第１制御指令（Ｓ２１）を前記送信部に前記第１受信部（２３）へと前記第３制御指令に基づいて送信させる、請求項１７記載の環境調整システム。
【請求項１９】
前記送信制御部（３１）には、前記ディスプレイ（２）の制御を指令する第３制御指令（Ｓ２）が入力され、
前記送信制御部は、
前記第３制御指令に基づく前記第１制御指令（Ｓ２１）を前記送信部（３２）に前記第１受信部（２３）へと送信させ、
前記２制御指令（Ｓ１１）を前記送信部に前記第２受信部（１４）へと前記第３制御指令に基づいて送信させる、請求項１７記載の環境調整システム。
【請求項２０】
ディスプレイ（２）に表示もしくは投射する画像を沈静作用のある色調に変化させる映写ステップと、
前記映写ステップの後に、環境温度を低下する温調ステップと
を備える、環境調整方法。
【請求項２１】
前記温調ステップでは、入眠時点から前記環境温度を低下させる、請求項２０記載の環境調整方法。
【請求項２２】
前記映写ステップでは、前記色調を沈静作用のある色調に変化させる際に、前記色調の色温度の低下も実行する、請求項２０または請求項２１記載の環境調整方法。
【請求項２３】
前記映写ステップでは、前記色調を沈静作用のある色調に変化させる際に、前記画像の輝度の低下も実行する、請求項２０乃至請求項２２のいずれか一つに記載の環境調整方法。
【請求項２４】
前記ディスプレイ（２）に前記画像を表示もしくは投射することに並行して、音響発生部（４）から音響が発せられ、
前記映写ステップでは、前記色調を沈静作用のある色調へと変化するに伴って、前記音響の音量を減少する、請求項２０乃至請求項２３のいずれか一つに記載の環境調整方法。
【請求項２５】
環境温度を上昇する温調ステップと、
前記温調ステップの後に、ディスプレイ（２）に表示もしくは投射する画像を興奮作用のある色調に変化させる映写ステップと
を備える、環境調整方法。
【請求項２６】
前記映写ステップでは、覚醒時点から前記色調を興奮作用のある色調に変化させる、請求項２５記載の環境調整方法。
【請求項２７】
前記映写ステップでは、前記色調を興奮作用のある色調に変化させる際に、前記色調の色温度の上昇も実行する、請求項２５または請求項２６記載の環境調整方法。
【請求項２８】
前記映写ステップでは、前記色調を興奮作用のある色調に変化させる際に、前記画像の輝度の上昇も実行する、請求項２５乃至請求項２７のいずれか一つに記載の環境調整方法。
【請求項２９】
前記ディスプレイ（２）に前記画像を表示もしくは投射することに並行して、音響発生部（４）から音響が発せられ、
前記映写ステップでは、前記色調を興奮作用のある色調へと変化するに伴って、前記音響の音量を増大する、請求項２５乃至請求項２８のいずれか一つに記載の環境調整方法。
【請求項３０】
請求項２０乃至請求項２９のいずれか一つに記載の環境調整方法において備えられた前記温調ステップを実行する空調機（１）と、
前記一つに記載の前記映写ステップを実行するディスプレイ（２）と
を有し、
前記空調機は、第１制御指令（Ｓ２１）を送信する送信部（１２）を含み、
前記ディスプレイは、前記第１制御指令を受信する第１受信部（２３）を含む、環境調整システムにおいて、
前記送信部に前記第１制御指令を前記第１受信部へと送信させる送信ステップと、
前記第１制御指令を前記第１受信部で受信した後、前記第１制御指令に基づいて前記映写ステップを実行するステップと
を備える、環境調整方法。
【請求項３１】
第２制御指令（Ｓ１１）を送信するリモートコントローラ（３）を更に有し、
前記空調機（１）は、前記第２制御指令を受信する第２受信部（１４）を更に含む、前記環境調整システムにおいて、
前記リモートコントローラに前記第２制御指令を送信させるステップと、
前記第２制御指令を前記第２受信部で受信した後、前記第２制御指令に基づいて前記温調ステップを実行し、前記第２制御指令に基づいて前記第１制御指令（Ｓ２１）を前記空調機（１）内で発生させるステップと
を前記送信ステップの前に実行する、請求項３０記載の環境調整方法。
【請求項３２】
請求項２０乃至請求項２９のいずれか一つに記載の環境調整方法において備えられた前記温調ステップを実行する空調機（１）と、
前記一つに記載の前記映写ステップを実行するディスプレイ（２）と、
第１制御指令（Ｓ２１）を送信するリモートコントローラ（３）と
を有し、
前記空調機（１）は、第２制御指令（Ｓ２０１）を送信する送信部（１２）を含み、
前記ディスプレイ（２）は、前記第１制御指令を受信する第１受信部（２３）を含む、環境調整システムにおいて、
前記送信部に前記第２制御指令をリモートコントローラへと送信させるステップと、
前記第２制御指令を受信したリモートコントローラに、前記第２制御指令に基づいて前記第１制御指令を前記第１受信部へと送信させるステップと、
前記第１制御指令を前記受信部で受信した後、前記第１制御指令に基づいて前記映写ステップを実行するステップと
を備える、環境調整方法。
【請求項３３】
請求項２０乃至請求項２９のいずれか一つに記載の環境調整方法において備えられた前記温調ステップを実行する空調機（１）と、
前記一つに記載の前記映写ステップを実行するディスプレイ（２）と、
リモートコントローラ（３）と
を有し、
前記ディスプレイ（２）は、第１制御指令（Ｓ２１）を受信する第１受信部（２３）を更に含み、
前記空調機（１）は、第２制御指令（Ｓ１１）を受信する第２受信部（１４）を更に含み、
前記リモートコントローラは、前記第１制御指令と前記第２制御指令とを送信する送信部（３２）を含む、環境調整システムにおいて、
（ａ）前記送信部に、前記第１受信部（２３）へと前記第１制御指令（Ｓ２１）を送信させ、前記第２受信部（１４）へと前記第２制御指令（Ｓ１１）を送信させるステップと、
（ｂ）前記第１制御指令を第１受信部で受信した後、前記第１制御指令に基づいて前記映写ステップを実行するステップと、
（ｃ）前記第２制御指令を第２受信部で受信した後、前記第２制御指令に基づいて前記温調ステップを実行するステップと
を備える、環境調整方法。
【請求項３４】
前記リモートコントローラ（３）に前記温調ステップの実行を指令する第３制御指令（Ｓ１）を入力するステップ
を前記ステップ（ａ）の前に実行し、
前記ステップ（ａ）では、
前記第３制御指令に基づく前記第２制御指令（Ｓ１１）を前記送信部（３２）に前記第２受信部（１４）へと送信させ、
前記第１制御指令（Ｓ２１）を前記送信部に前記第１受信部（２３）へと前記第３制御指令に基づいて送信させる、環境調整方法。
【請求項３５】
前記リモートコントローラ（３）に前記映写ステップの実行を指令する第３制御指令（Ｓ２）を入力するステップ
を前記ステップ（ａ）の前に実行し、
前記ステップ（ａ）では、
前記第３制御指令に基づく前記第１制御指令（Ｓ２１）を前記送信部（３２）に前記第１受信部（２３）へと送信させ、
前記第２制御指令（Ｓ１１）を前記送信部に前記第２受信部（１４）へと前記第３制御指令に基づいて送信させる、環境調整方法。
【請求項３６】
色調を可変として画像の表示もしくは投射を行うディスプレイ（２）に対し第１制御指令（Ｓ２１）を送信する送信部（１２）と、
環境温度の調節を行う温調部（１３）と、
前記温調部を制御する温調制御部（１１）と
を備え、
前記温調制御部は、前記送信部に前記ディスプレイへと前記第１制御指令を送信させ、
前記第１制御指令は、前記温調制御部が前記温調部に前記環境温度を調節させることに関連付けて、前記ディスプレイに前記画像の色調を制御させる、空調機。
【請求項３７】
送信部（３２）と、
前記送信部を制御する送信制御部（３１）と
を備え、
前記送信部は、
色調を可変として画像の表示もしくは投射を行うディスプレイ（２）への第１制御指令（Ｓ２１）の送信と、
空調機（１）への第２制御指令（Ｓ１１）の送信と
が実行可能で、
前記送信制御部は、
前記送信部に前記ディスプレイへと前記第１制御指令（Ｓ２１）を送信させ、
前記送信部に前記空調機へと前記第２制御指令（Ｓ１１）を送信させ、
前記第１制御指令は、前記ディスプレイに前記画像の色調を制御させ、
前記第２制御指令は、前記空調機に環境温度を調節させ、
前記画像の前記色調の変化と前記環境温度の調節とは相互に関連付けられている、リモートコントローラ。
【発明の詳細な説明】
【技術分野】
【０００１】
本発明は、環境を調整する技術に関し、例えば睡眠制御技術に適用することができる。
【背景技術】
【０００２】
人は、光の照度等で生体リズムを調整している。生体リズムとは、例えば起床や就寝の時刻、あるいは睡眠時間など、生活に関係したリズムである。
【０００３】
現代では、生体リズムを乱す要因が多くあり、例えば夜更かしした場合には、その生体リズムが乱れやすい。このため、乱れた生体リズムを正常な状態に回復させる技術が、これまでにも開発されている。例えば特許文献１では、計測された照度と環境温度とに基づいて環境温度を調節する技術が開示されている。また特許文献２では、光の照度を制御することで生体リズムを整える技術が開示されている。
【０００４】
なお、本発明に関連する技術が以下に示されている。特許文献３では、良好な睡眠状態を得るための環境温度の制御技術が開示されている。また、特許文献４，５では、複数の装置を一元管理するためのリモート制御に関する技術が開示されている。
【０００５】
【特許文献１】特開平８−１９３７３８号公報
【特許文献２】特開２０００−２５２０８４号公報
【特許文献３】特許２９８７９８１号公報
【特許文献４】特開２００３−１２５４６５号公報
【特許文献５】特開２００３−１８６７２号公報
【発明の開示】
【発明が解決しようとする課題】
【０００６】
テレビの普及に伴って、寝室にテレビを設置し就寝前にテレビを見る人も多くなっている。このため、就寝する時刻が遅くなり、生体リズムが乱れる要因になっている。
【０００７】
このような状況で、例えば特許文献２に開示された技術を適用しても、テレビの光がその効果を妨げるおそれがある。
【０００８】
本発明では、上述の事情に鑑みてなされたものであり、テレビなどのディスプレイに映し出された画像を見つつも、良好な睡眠状態を得ることが目的とされる。
【課題を解決するための手段】
【０００９】
この発明の請求項１にかかる環境調整システムは、色調を可変として画像の表示もしくは投射を行う映写部（２４）と、環境温度の調節を行う温調部（１３）と、前記画像の色調の変化と前記環境温度の前記調節とを相互に関連付けて、それぞれ前記映写部及び前記温調部を制御する制御部（１１，２１）とを備える。
【００１０】
この発明の請求項２にかかる環境調整システムは、請求項１記載の環境調整システムであって、前記映写部（２４）が前記色調を沈静作用のある色調へと変化させてから、前記温調部（１３）が前記環境温度を低下させる。
【００１１】
この発明の請求項３にかかる環境調整システムは、請求項２記載の環境調整システムであって、入眠時点を検出する入眠センサをさらに備え、前記制御部（１１）は、前記入眠センサで検出された前記入眠時点から、前記温調部（１３）に対して前記環境温度を低下させる制御を行う。
【００１２】
この発明の請求項４にかかる環境調整システムは、請求項２または請求項３記載の環境調整システムであって、前記色調を沈静作用のある色調へと変化させる際に、前記映写部（２４）に設定される色温度が低下する。
【００１３】
この発明の請求項５にかかる環境調整システムは、請求項２乃至請求項４のいずれか一つに記載の環境調整システムであって、前記色調を沈静作用のある色調へと変化させる際に、前記画像の輝度が低下する。
【００１４】
この発明の請求項６にかかる環境調整システムは、請求項２乃至請求項５のいずれか一つに記載の環境調整システムであって、音響を発生する音響発生部（４）を更に備え、前記色調が沈静作用のある色調へと変化するに伴って、前記音響の音量が減少する。
【００１５】
この発明の請求項７にかかる環境調整システムは、請求項１記載の環境調整システムであって、前記温調部（１３）が前記環境温度を上昇させてから、前記映写部（２４）が前記色調を興奮作用のある色調へと変化させる。
【００１６】
この発明の請求項８にかかる環境調整システムは、請求項７記載の環境調整システムであって、覚醒時点を検出する覚醒センサをさらに備え、前記制御部（１１）は、前記覚醒センサで検出された前記覚醒時点から、前記映写部（２４）に対して前記画像の色調を興奮作用のある色調へと変化させる制御を行う。
【００１７】
この発明の請求項９にかかる環境調整システムは、請求項７または請求項８記載の環境調整システムであって、前記色調を興奮作用のある色調へと変化させる際に、前記映写部（２４）に設定される色温度が上昇する。
【００１８】
この発明の請求項１０にかかる環境調整システムは、請求項７乃至請求項９のいずれか一つに記載の環境調整システムであって、前記色調を興奮作用のある色調へと変化させる際に、前記画像の輝度が上昇する。
【００１９】
この発明の請求項１１にかかる環境調整システムは、請求項７乃至請求項１０のいずれか一つに記載の環境調整システムであって、音響を発生する音響発生部（４）を更に備え、前記色調が興奮作用のある色調へと変化するに伴って、前記音響の音量が増大する。
【００２０】
この発明の請求項１２にかかる環境調整システムは、請求項２乃至請求項１１のいずれか一つに記載の環境調整システムであって、前記制御部は、前記温調部（１３）の動作を制御する温調制御部（１１）と、前記映写部（２４）の動作を制御する映写制御部（２１）とを有し、前記温調部と前記温調制御部とを含む空調機（１）と、前記映写部と前記映写制御部とを含むディスプレイ（２）とが設けられる。
【００２１】
この発明の請求項１３にかかる環境調整システムは、請求項６または請求項１１記載の環境調整システムであって、前記制御部は、前記温調部（１３）の動作を制御する温調制御部（１１）と、前記映写部（２４）の動作を制御する映写制御部（２１）と、前記音響発生部（４）の動作を制御する音響制御部（２１）とを有し、前記温調部と前記温調制御部とを含む空調機（１）と、前記映写部と前記映写制御部と前記音響制御部とを含むディスプレイ（２）が設けられる。
【００２２】
この発明の請求項１４にかかる環境調整システムは、請求項１２または請求項１３記載の環境調整システムであって、前記空調機（１）は、第１制御指令（Ｓ２１）を送信する送信部（１２）を更に含み、前記ディスプレイ（２）は、前記第１制御指令を受信する第１受信部（２３）を更に含み、前記温調制御部（１１）は、前記送信部に前記第１受信部へと前記第１制御指令を送信させ、前記映写制御部（２１）は、前記第１受信部で受信された前記第１制御指令に基づいて、前記画像の前記色調を変化させて前記映写部に表示もしくは投射させる。
【００２３】
この発明の請求項１５にかかる環境調整システムは、請求項１４記載の環境調整システムであって、第２制御指令（Ｓ１１）を送信するリモートコントローラ（３）を更に備え、前記空調機（１）は、前記第２制御指令を受信する第２受信部（１４）を更に含み、前記温調制御部（１１）は、前記第２受信部で受信された前記第２制御指令に基づいて、前記温調部（１３）に前記環境温度を制御させ、前記第２制御指令に基づいて前記第１制御指令（Ｓ２１）を前記送信部（１２）に前記第１受信部（２３）へと送信させる。
【００２４】
この発明の請求項１６にかかる環境調整システムは、請求項１２または請求項１３記載の環境調整システムであって、第１制御指令（Ｓ２１）を送信するリモートコントローラ（３）を更に備え、前記空調機（１）は、第２制御指令（Ｓ２０１）を送信する送信部（１２）を更に含み、前記ディスプレイ（２）は、前記第１制御指令を受信する第１受信部（２３）を更に含み、前記温調制御部（１１）は、前記送信部（１２）にリモートコントローラへと前記第２制御指令を送信させ、前記リモートコントローラは、受信した前記第２制御指令に基づいて、前記第１受信部へと前記第１制御指令を送信し、前記映写制御部（２１）は、前記第１受信部で受信された前記第１制御指令に基づいて、前記画像の前記色調を変化させて前記映写部に表示もしくは投射させる。
【００２５】
この発明の請求項１７にかかる環境調整システムは、請求項１２または請求項１３記載の環境調整システムであって、前記映写部（２４）の制御を指令する第１制御指令（Ｓ２１）と、前記温調部（１３）の制御を指令する第２制御指令（Ｓ１１）とを送信する送信部（３２）と、前記送信部を制御する送信制御部（３１）とを含むリモートコントローラ（３）を更に備え、前記ディスプレイ（２）は、前記第１制御指令を受信する第１受信部（２３）を更に含み、前記空調機（１）は、前記第２制御指令を受信する第２受信部（１４）を更に含み、前記送信制御部は前記送信部に、前記第１受信部へと前記第１制御指令を送信させ、前記第２受信部へと前記第２制御指令を送信させ、前記映写制御部（２１）は、前記第１受信部で受信された前記第１制御指令に基づいて、前記画像の前記色調を変化させて前記映写部（２４）に表示もしくは投射させ、前記温調制御部（１１）は、前記第２受信部で受信された前記第２制御指令に基づいて、前記温調部（１３）に前記環境温度を変化させる。
【００２６】
この発明の請求項１８にかかる環境調整システムは、請求項１７記載の環境調整システムであって、前記送信制御部（３１）には、前記空調機（１）の制御を指令する第３制御指令（Ｓ１）が入力され、前記送信制御部は、前記第３制御指令に基づく前記第２制御指令（Ｓ１１）を前記送信部（３２）に前記第２受信部（１４）へと送信させ、前記第１制御指令（Ｓ２１）を前記送信部に前記第１受信部（２３）へと前記第３制御指令に基づいて送信させる。
【００２７】
この発明の請求項１９にかかる環境調整システムは、請求項１７記載の環境調整システムであって、前記送信制御部（３１）には、前記ディスプレイ（２）の制御を指令する第３制御指令（Ｓ２）が入力され、前記送信制御部は、前記第３制御指令に基づく前記第１制御指令（Ｓ２１）を前記送信部（３２）に前記第１受信部（２３）へと送信させ、前記２制御指令（Ｓ１１）を前記送信部に前記第２受信部（１４）へと前記第３制御指令に基づいて送信させる。
【００２８】
この発明の請求項２０にかかる環境調整方法は、ディスプレイ（２）に表示もしくは投射する画像を沈静作用のある色調に変化させる映写ステップと、前記映写ステップの後に、環境温度を低下する温調ステップとを備える。
【００２９】
この発明の請求項２１にかかる環境調整方法は、請求項２０記載の環境調整方法であって、前記温調ステップでは、入眠時点から前記環境温度を低下させる。
【００３０】
この発明の請求項２２にかかる環境調整方法は、請求項２０または請求項２１記載の環境調整方法であって、前記映写ステップでは、前記色調を沈静作用のある色調に変化させる際に、前記色調の色温度の低下も実行する。
【００３１】
この発明の請求項２３にかかる環境調整方法は、請求項２０乃至請求項２２のいずれか一つに記載の環境調整方法であって、前記映写ステップでは、前記色調を沈静作用のある色調に変化させる際に、前記画像の輝度の低下も実行する。
【００３２】
この発明の請求項２４にかかる環境調整方法は、請求項２０乃至請求項２３のいずれか一つに記載の環境調整方法であって、前記ディスプレイ（２）に前記画像を表示もしくは投射することに並行して、音響発生部（４）から音響が発せられ、前記映写ステップでは、前記色調を沈静作用のある色調へと変化するに伴って、前記音響の音量を減少する。
【００３３】
この発明の請求項２５にかかる環境調整方法は、環境温度を上昇する温調ステップと、前記温調ステップの後に、ディスプレイ（２）に表示もしくは投射する画像を興奮作用のある色調に変化させる映写ステップとを備える。
【００３４】
この発明の請求項２６にかかる環境調整方法は、請求項２５記載の環境調整方法であって、前記映写ステップでは、覚醒時点から前記色調を興奮作用のある色調に変化させる。
【００３５】
この発明の請求項２７にかかる環境調整方法は、請求項２５または請求項２６記載の環境調整方法であって、前記映写ステップでは、前記色調を興奮作用のある色調に変化させる際に、前記色調の色温度の上昇も実行する。
【００３６】
この発明の請求項２８にかかる環境調整方法は、請求項２５乃至請求項２７のいずれか一つに記載の環境調整方法であって、前記映写ステップでは、前記色調を興奮作用のある色調に変化させる際に、前記画像の輝度の上昇も実行する。
【００３７】
この発明の請求項２９にかかる環境調整方法は、請求項２５乃至請求項２８のいずれか一つに記載の環境調整方法であって、前記ディスプレイ（２）に前記画像を表示もしくは投射することに並行して、音響発生部（４）から音響が発せられ、前記映写ステップでは、前記色調を興奮作用のある色調へと変化するに伴って、前記音響の音量を増大する。
【００３８】
この発明の請求項３０にかかる環境調整方法は、請求項２０乃至請求項２９のいずれか一つに記載の環境調整方法において備えられた前記温調ステップを実行する空調機（１）と、前記一つに記載の前記映写ステップを実行するディスプレイ（２）とを有し、前記空調機は、第１制御指令（Ｓ２１）を送信する送信部（１２）を含み、前記ディスプレイは、前記第１制御指令を受信する第１受信部（２３）を含む、環境調整システムにおいて、前記送信部に前記第１制御指令を前記第１受信部へと送信させる送信ステップと、前記第１制御指令を前記第１受信部で受信した後、前記第１制御指令に基づいて前記映写ステップを実行するステップとを備える。
【００３９】
この発明の請求項３１にかかる環境調整方法は、請求項３０記載の環境調整方法であって、第２制御指令（Ｓ１１）を送信するリモートコントローラ（３）を更に有し、前記空調機（１）は、前記第２制御指令を受信する第２受信部（１４）を更に含む、前記環境調整システムにおいて、前記リモートコントローラに前記第２制御指令を送信させるステップと、前記第２制御指令を前記第２受信部で受信した後、前記第２制御指令に基づいて前記温調ステップを実行し、前記第２制御指令に基づいて前記第１制御指令（Ｓ２１）を前記空調機（１）内で発生させるステップとを前記送信ステップの前に実行する。
【００４０】
この発明の請求項３２にかかる環境調整方法は、請求項２０乃至請求項２９のいずれか一つに記載の環境調整方法において備えられた前記温調ステップを実行する空調機（１）と、前記一つに記載の前記映写ステップを実行するディスプレイ（２）と、第１制御指令（Ｓ２１）を送信するリモートコントローラ（３）とを有し、前記空調機（１）は、第２制御指令（Ｓ２０１）を送信する送信部（１２）を含み、前記ディスプレイ（２）は、前記第１制御指令を受信する第１受信部（２３）を含む、環境調整システムにおいて、前記送信部に前記第２制御指令をリモートコントローラへと送信させるステップと、前記第２制御指令を受信したリモートコントローラに、前記第２制御指令に基づいて前記第１制御指令を前記第１受信部へと送信させるステップと、前記第１制御指令を前記受信部で受信した後、前記第１制御指令に基づいて前記映写ステップを実行するステップとを備える。
【００４１】
この発明の請求項３３にかかる環境調整方法は、請求項２０乃至請求項２９のいずれか一つに記載の環境調整方法において備えられた前記温調ステップを実行する空調機（１）と、前記一つに記載の前記映写ステップを実行するディスプレイ（２）と、リモートコントローラ（３）とを有し、前記ディスプレイ（２）は、第１制御指令（Ｓ２１）を受信する第１受信部（２３）を更に含み、前記空調機（１）は、第２制御指令（Ｓ１１）を受信する第２受信部（１４）を更に含み、前記リモートコントローラは、前記第１制御指令と前記第２制御指令とを送信する送信部（３２）を含む、環境調整システムにおいて、（ａ）前記送信部に、前記第１受信部（２３）へと前記第１制御指令（Ｓ２１）を送信させ、前記第２受信部（１４）へと前記第２制御指令（Ｓ１１）を送信させるステップと、（ｂ）前記第１制御指令を第１受信部で受信した後、前記第１制御指令に基づいて前記映写ステップを実行するステップと、（ｃ）前記第２制御指令を第２受信部で受信した後、前記第２制御指令に基づいて前記温調ステップを実行するステップとを備える。
【００４２】
この発明の請求項３４にかかる環境調整方法は、前記リモートコントローラ（３）に前記温調ステップの実行を指令する第３制御指令（Ｓ１）を入力するステップを前記ステップ（ａ）の前に実行し、前記ステップ（ａ）では、前記第３制御指令に基づく前記第２制御指令（Ｓ１１）を前記送信部（３２）に前記第２受信部（１４）へと送信させ、前記第１制御指令（Ｓ２１）を前記送信部に前記第１受信部（２３）へと前記第３制御指令に基づいて送信させる。
【００４３】
この発明の請求項３５にかかる環境調整方法は、前記リモートコントローラ（３）に前記映写ステップの実行を指令する第３制御指令（Ｓ２）を入力するステップを前記ステップ（ａ）の前に実行し、前記ステップ（ａ）では、前記第３制御指令に基づく前記第１制御指令（Ｓ２１）を前記送信部（３２）に前記第１受信部（２３）へと送信させ、前記第２制御指令（Ｓ１１）を前記送信部に前記第２受信部（１４）へと前記第３制御指令に基づいて送信させる。
【００４４】
この発明の請求項３６にかかる空調機は、色調を可変として画像の表示もしくは投射を行うディスプレイ（２）に対し第１制御指令（Ｓ２１）を送信する送信部（１２）と、環境温度の調節を行う温調部（１３）と、前記温調部を制御する温調制御部（１１）とを備え、前記温調制御部は、前記送信部に前記ディスプレイへと前記第１制御指令を送信させ、前記第１制御指令は、前記温調制御部が前記温調部に前記環境温度を調節させることに関連付けて、前記ディスプレイに前記画像の色調を制御させる。
【００４５】
この発明の請求項３７にかかるリモートコントローラは、送信部（３２）と、前記送信部を制御する送信制御部（３１）とを備え、前記送信部は、色調を可変として画像の表示もしくは投射を行うディスプレイ（２）への第１制御指令（Ｓ２１）の送信と、空調機（１）への第２制御指令（Ｓ１１）の送信とが実行可能で、前記送信制御部は、前記送信部に前記ディスプレイへと前記第１制御指令（Ｓ２１）を送信させ、前記送信部に前記空調機へと前記第２制御指令（Ｓ１１）を送信させ、前記第１制御指令は、前記ディスプレイに前記画像の色調を制御させ、前記第２制御指令は、前記空調機に環境温度を調節させ、前記画像の前記色調の変化と前記環境温度の調節とは相互に関連付けられている。
【発明の効果】
【００４６】
この発明の請求項１にかかる環境調整システム、請求項３６にかかる空調機もしくは請求項３７にかかるリモートコントローラによれば、温度による睡眠／覚醒制御と、色調による睡眠／覚醒制御とを関連付けて行うことができる。しかも単色ではない画像が表示されるので、人は当該画像が有する情報を享受しつつも睡眠／覚醒することができる。
【００４７】
この発明の請求項２にかかる環境調整システムもしくは請求項２０にかかる環境調整方法によれば、表示等される画像の色調が沈静作用のある色調へと変化することにより、画像を観ている人に沈静作用のある色を感じさせて、その人の入眠を促進する。更にその後に環境温度が低下するので、睡眠時の体温が低下する。よって、円滑に人を睡眠へと誘導することができる。
【００４８】
この発明の請求項３にかかる環境調整システムもしくは請求項２１にかかる環境調整方法によれば、入眠時点から環境温度が低下するので、入眠前に不快感を与えることがない。
【００４９】
この発明の請求項４にかかる環境調整システムもしくは請求項２２にかかる環境調整方法によれば、色温度が低下した色調において沈静作用が得られるので、その色調で表示等された画像を観ている人の入眠が促進される。
【００５０】
この発明の請求項５にかかる環境調整システムもしくは請求項２３にかかる環境調整方法によれば、周囲が暗くなるので、画像を観ている人の入眠が促進される。
【００５１】
この発明の請求項６にかかる環境調整システムもしくは請求項２４にかかる環境調整方法によれば、周囲が静かになるので、音響を聴いている人の入眠が促進される。
【００５２】
この発明の請求項７にかかる環境調整システムもしくは請求項２５にかかる環境調整方法によれば、環境温度が上昇するので睡眠時の体温が上昇して、寝ている人を覚醒へと導く。更にその後に表示等される画像の色調を興奮作用のある色調へと変化することにより、覚醒後に画像を観た人に興奮作用のある色を感じさせて、その人の眠気を弱める。よって、円滑に人を覚醒へと誘導する。
【００５３】
この発明の請求項８にかかる環境調整システムもしくは請求項２６にかかる環境調整方法によれば、覚醒時点から画像の色調が興奮作用のある色調へと変化するので、覚醒が早められたことによる不快感が低減される。
【００５４】
この発明の請求項９にかかる環境調整システムもしくは請求項２７にかかる環境調整方法によれば、色温度が上昇した色調において興奮作用が得られるので、その色調で表示等された画像を観た人の眠気が弱められる。
【００５５】
この発明の請求項１０にかかる環境調整システムもしくは請求項２８にかかる環境調整方法によれば、周囲が明るくなるので、画像を観た人の眠気が弱められる。
【００５６】
この発明の請求項１１にかかる環境調整システムもしくは請求項２９にかかる環境調整方法によれば、周囲が騒がしくなるので、音響を聴いた人の眠気が弱められる。
【００５７】
この発明の請求項１２または請求項１３にかかる環境調整システムによれば、環境調整システムを空調機及びディスプレイで構成することができる。
【００５８】
この発明の請求項１４にかかる環境調整システムもしくは請求項３０にかかる環境調整方法によれば、個々別々に設けられる空調機とディスプレイにおいて、空調機が第１制御指令によってディスプレイを遠隔操作するので、空調機の制御とディスプレイの制御が相互に関連付けられる。
【００５９】
この発明の請求項１５にかかる環境調整システムもしくは請求項３１にかかる環境調整方法によれば、リモートコントローラへと空調機に対する制御指令を入力するだけで、自動的にディスプレイの制御が行われる。
【００６０】
この発明の請求項１６にかかる環境調整システムもしくは請求項３２にかかる環境調整方法によれば、空調機がリモートコントローラを介して自動的にディスプレイの制御を行う。
【００６１】
この発明の請求項１７にかかる環境調整システムもしくは請求項３３にかかる環境調整方法によれば、リモートコントローラによって、空調機及びディスプレイを一元管理できるので、空調機の制御とディスプレイの制御を相互に関連付けることが容易となる。
【００６２】
この発明の請求項１８にかかる環境調整システムもしくは請求項３４にかかる環境調整方法によれば、リモートコントローラに空調機に対する制御指令を入力するだけで、ディスプレイの制御が自動的に行われる。
【００６３】
この発明の請求項１９にかかる環境調整システムもしくは請求項３５にかかる環境調整方法によれば、リモートコントローラにディスプレイに対する制御指令を入力するだけで、空調機の制御が自動的に行われる。
【発明を実施するための最良の形態】
【００６４】
第１の実施の形態．
図１は、本実施の形態にかかる環境調整システムを概念的に示すブロック図である。当該システムは、主として空調機１及びディスプレイ２を備える。
【００６５】
空調機１は、温調制御部１１、送信部１２及び温調部１３を備える。温調制御部１１は、送信部１２及び温調部１３を制御する。具体的には以下のように制御する。
【００６６】
送信部１２には、制御指令Ｓ２０を入力して、これに基づいてディスプレイ２へと制御指令Ｓ２１を送信させる。制御指令Ｓ２１は、ディスプレイ２に画像の色調などの制御をさせる。ここで画像とは、静止画や動画であって単色画面を含まない。
【００６７】
温調部１３には、環境温度を調節させる。温調部１３は、所定の位置の環境、例えば空調機１が設置された環境へと温度調節した空気１００を送り出すことで、その環境の温度つまり環境温度を調節する。
【００６８】
ディスプレイ２は、映写制御部２１、受信部２３及び映写部２４を備える。図１ではディスプレイ２に音響発生部４及び画像信号生成部６が接続されている。音響発生部４及び画像信号生成部６は、ディスプレイ２に対して外付けされているが、例えばディスプレイ２に内蔵されていてもよい。
【００６９】
受信部２３は、空調機１から送信された制御指令Ｓ２１を受信し、これを制御指令Ｓ２２として映写制御部２１に入力する。
【００７０】
映写制御部２１は、映写部２４、音響発生部４及び画像信号生成部６を以下のように制御する。
【００７１】
画像信号生成部６には、画像信号Ｓ３を出力させる。画像信号生成部６は、例えばチューナ、ビデオレコーダ、ＤＶＤ（Digital Versatile Disk）レコーダあるいは端末機などである。チューナは、ＶＨＦ（Very High Frequency）、ＵＨＦ（Ultra High Frequency）帯のテレビ信号から、映写制御部２１によって希望されたチャンネルを選択して受信し、これを画像信号Ｓ３として映写制御部２１へと出力する。ビデオレコーダやＤＶＤレコーダは、ビデオやＤＶＤから画像を読み取り、これを画像信号Ｓ３として映写制御部２１へと出力する。端末機は、例えばネットワーク上から画像を取り込み、これを画像信号Ｓ３として映写制御部２１に出力する。
【００７２】
映写部２４には、画像信号生成部６から得られた画像信号Ｓ３に基づいて、ディスプレイ２の画面に表示、もしくはディスプレイ２とは異なる位置に設置されたスクリーン上に投射させる。画像信号Ｓ３は必ずしも映写制御部２１を経由せずに、画像信号生成部６から直接に映写部２４に与えられてもよい。
【００７３】
映写部２４で表示等された画像は、制御指令Ｓ２２に基づいて、すなわち制御指令Ｓ２１に基づいて、その色調が制御される。具体的には、就寝時には沈静作用のある色調に、起床時には興奮作用のある色調にそれぞれ制御される。
【００７４】
音響発生部４には、映写部２４での画像の表示もしくは投射に並行して、音響を発生させる。音響発生部４は、例えばスピーカである。具体的に例えば、画像信号生成部に内蔵された音声信号生成部で生成された音声信号が、画像信号と共に映写制御部２１に入力され、映写制御部２１はこの音声信号に基づいて音響発生部４に音響を発生させてもよい。また、このときの音響発生部４の制御は、映写制御部２１とは別途に設けた音響制御部にさせてもよい。
【００７５】
空調機１における温調部１３の制御と、制御指令Ｓ２１に基づくディスプレイ２の制御、すなわち画像の色調の制御とは、相互に連係する。従って、上記環境調整システムを次のように把握できる。つまり、環境調整システムは、映写部２４、温調部１３及び制御部を備える。映写部２４は、色調を可変として画像の表示もしくは投射を行う。温調部１３は、環境温度を調節する。制御部は、温調制御部１１と映写制御部２１とを含む。これらは、画像の色調の変化と環境温度の調節とを相互に関連付けて、それぞれ温調部１３及び映写部２４を制御する。
【００７６】
このような環境調整システムによれば、温度による睡眠／覚醒制御と、色調による睡眠／覚醒制御とを関連付けて行うことができる。しかも単色ではない画像が表示されるので、人は当該画像が有する情報を享受しつつも睡眠／覚醒することができる。
【００７７】
以下では、就寝（睡眠）時と起床（覚醒）時に分けて環境調整システムによる制御技術を説明する。
【００７８】
就寝時では、映写部２４が色調を沈静作用のある色調へと変化させてから、温調部１３が環境温度を低下させる。
【００７９】
具体的にまず、ディスプレイ２において映写制御部２１が、制御指令Ｓ２２に基づいて、すなわち制御指令Ｓ２１に基づいて、画像を沈静作用のある色調で映写部２４に表示もしくは投射させる。
【００８０】
例えば白色の色温度が６０００Ｋ以下に相当するように変更することで、沈静作用のある色調が得られる。この色調によれば、その色調で表示等された画像を見ている人の入眠が促進させる。
【００８１】
また、沈静作用のある色調を得ることに並行して、画像の輝度を低めてもよい。これによれば、周囲が暗くなるので、画像を見ている人の入眠がより促進させる。
【００８２】
さらに、沈静作用のある色調を得ることに並行して、音響発生部４から発せられる音量を減少させてもよい。これによれば、周囲が静かになるので、音響を聴いている人の入眠がより促進される。
【００８３】
上記制御の後、空調機１において温調制御部１１が、温調部１３に環境温度を低下させる。このとき、入眠時点から環境温度を低下させることが、肌寒さを感じるなどの不快感を入眠前に与えることがない点で望ましい。入眠時点は、例えば入眠センサによって検出される。
【００８４】
このような制御技術によれば、表示等される画像の色調が沈静作用のある色調へと変化することにより、画像を観ている人に沈静作用のある色を感じさせて、その人の入眠を促進する。更にその後に環境温度が低下するので、睡眠時の体温が低下する。よって、円滑に人を睡眠へと誘導することができる。
【００８５】
次に起床時では、温調部１３が環境温度を上昇させてから、映写部２４が色調を興奮作用のある色調へと変化させる。
【００８６】
具体的にまず、空調機１において温調制御部１１が、温調部１３に環境温度を上昇させる。
【００８７】
その後、ディスプレイ２において映写制御部２１が、制御指令Ｓ２２に基づいて、すなわち制御指令Ｓ２１に基づいて、画像を興奮作用のある色調で映写部２４に表示もしくは投射させる。このとき、覚醒時点から画像を興奮作用のある色調に制御することが、覚醒が早められるなどの不快感を低減する点で望ましい。覚醒時点は、例えば覚醒センサによって検出される。
【００８８】
例えば白色の色温度が１００００Ｋ以上に相当するように色調を変更することで、興奮作用のある色調が得られる。これによれば、その色調で表示等された画像を観た人の眠気が弱められる。
【００８９】
また、興奮作用のある色調を得ることに並行して、画像の輝度を高めてもよい。これによれば、周囲が明るくなるので、画像を観た人の眠気が弱められる。
【００９０】
さらに、興奮作用のある色調を得ることに並行して、音響発生部４から発せられる音量を増加させてもよい。これによれば、周囲が騒がしくなるので、音響を聴いた人の眠気が弱められる。
【００９１】
このような制御技術によれば、環境温度が上昇するので睡眠時の体温が上昇して、寝ている人を覚醒へと導く。更にその後に表示等される画像の色調を興奮作用のある色調へと変化することにより、覚醒後に画像を観た人に興奮作用のある色を感じさせて、その人の眠気を弱める。よって、円滑に人を覚醒へと誘導する。
【００９２】
図２は、空調機１と通信するリモートコントローラ３を含む環境調整システムを概念的に示すブロック図である。空調機１は、外部から入力される制御指令Ｓ１１に基づいて環境温度を制御してもよく、この態様が図２に示されている。図２で示される構成要素のうち、図１で示される構成要素と同じものには、同符号が付されている。
【００９３】
リモートコントローラ３は、送信制御部３１及び送信部３２を備える。リモートコントローラ３には、空調機１に対する制御指令Ｓ１が入力される。制御指令Ｓ１には、例えば温調部１３で調節される環境温度や、その制御を開始する時刻に関する指令が含まれる。
【００９４】
送信制御部３１は送信部３２を制御する。具体的に送信部３２には、入力された制御指令Ｓ１に基づいて制御指令Ｓ１０を与え、これに基づいて空調機１へと制御指令Ｓ１１を送信させる。制御指令Ｓ１１は、制御指令Ｓ１に基づく環境温度の制御を空調機１にさせる。
【００９５】
空調機１は、受信部１４を更に備える。受信部１４は、リモートコントローラ３から送信された制御指令Ｓ１１を受信し、これを制御指令Ｓ１２として温調制御部１１に入力する。
【００９６】
温調制御部１１は、制御指令Ｓ１２に基づいて、すなわち制御指令Ｓ１１に基づいて、温調部１３に環境温度を制御させる。さらに、制御指令Ｓ１２に基づいて、つまり制御指令Ｓ１１に基づいて、制御指令Ｓ２１を送信部１２に送信させるための制御指令Ｓ２０を発生する。そして、これを送信部１２に入力することで、送信部１２にディスプレイ２へと制御指令Ｓ２１を送信させる。制御指令Ｓ２１は上述したように、ディスプレイ２に画像の色調などの制御をさせる。
【００９７】
ディスプレイ２は、受信部２３で制御指令Ｓ２１を受信し、上述したと同様にして画像の色調、さらには画像の輝度や音響の量を制御する。
【００９８】
この場合にも、制御指令Ｓ２１に基づくディスプレイ２の制御と、空調機における温調部１３の制御とは、相互に連携し、上述したと同様に行われる。
【００９９】
このような制御技術によれば、リモートコントローラ３へと空調機１に対する制御指令Ｓ１を入力するだけで、自動的にディスプレイ２の制御が行われる。
【０１００】
図３は、環境調整システムの他の例を概念的に示すブロック図である。空調機１は、リモートコントローラ３を介してディスプレイ２に画像の色調を制御させてもよく、この態様が図３に示されている。図３で示される構成要素のうち、図１で示される構成要素と同じものには、同符号が付されている。
【０１０１】
空調機１において温調制御部１１は、送信部１２にリモートコントローラ３へと制御指令Ｓ２０１を送信させる。制御指令Ｓ２０１は、リモートコントローラ３を介してディスプレイ２に画像の色調を制御させる。
【０１０２】
リモートコントローラ３は、送信制御部３１、送信部３２及び受信部３３を備える。
【０１０３】
受信部３３は、空調機１から送信された制御指令Ｓ２０１を受信し、これを制御指令Ｓ２０２として送信制御部３１に入力する。
【０１０４】
送信制御部３１は、制御指令Ｓ２０２に基づいて制御指令Ｓ２０３を送信部３２に与え、送信部３２にディスプレイ２へと制御指令Ｓ２１を送信させる。
【０１０５】
ディスプレイ２は、受信部２３で制御指令Ｓ２１を受信し、上述したと同様にして画像の色調、さらには画像の輝度や音響の量を制御する。
【０１０６】
この場合にも、制御指令Ｓ２１に基づくディスプレイ２の制御と、空調機における温調部１３の制御とは、相互に連携し、上述したと同様に行われる。
【０１０７】
このような制御技術によれば、空調機１がリモートコントローラ３を介して自動的にディスプレイ２の制御を行える。
【０１０８】
上述したいずれの制御技術においても、温調制御部１１は、ディスプレイ２に画像の色調などの制御をさせる直前に、制御指令Ｓ２１を送信部１２あるいはリモートコントローラ３に送信させてもよいし、あるいはディスプレイ２に所定時刻から制御を開始させる指令を制御指令Ｓ２１に含ませて、前もって送信部１２あるいはリモートコントローラ３にディスプレイ２へと送信させてもよい。
【０１０９】
第２の実施の形態．
図４は、本実施の形態にかかる環境調整システムを概念的に示すブロック図である。当該システムは、主としてディスプレイ２及び空調機１を備える。
【０１１０】
ディスプレイ２は、映写制御部２１、映写部２４及び送信部２５を備える。図４ではディスプレイ２に音響発生部４及び画像信号生成部６が接続されている。音響発生部４及び画像信号生成部６は、ディスプレイ２に対して外付けされているが、例えばディスプレイ２に内蔵されていてもよい。
【０１１１】
映写制御部２１は、映写部２４、送信部２５、音響発生部４及び画像信号生成部６を、以下のように制御する。
【０１１２】
送信部２５には、制御指令Ｓ１０を入力して、これに基づいて空調機１へと制御指令Ｓ１１を送信させる。制御指令Ｓ１１は、空調機１に環境温度を制御させる。
【０１１３】
映写部２４、音響発生部４及び画像信号生成部６については、第１の実施の形態で説明したと同様に制御されるので、その説明を省略する。ただし、映写部２４で表示等された画像は、映写制御部２１によってその色調が制御される。具体的には、就寝時には沈静作用のある色調に、起床時には興奮作用のある色調にそれぞれ制御される。
【０１１４】
空調機１は、温調制御部１１、温調部１３及び受信部１４を備える。
【０１１５】
受信部１４は、ディスプレイ２から送信された制御指令Ｓ１１を受信し、これを制御指令Ｓ１２として温調制御部１１に入力する。
【０１１６】
温調制御部１１は、温調部１３を次のように制御する。つまり、温調部１３には、制御指令Ｓ１２に基づいて、すなわち制御指令Ｓ１１に基づいて、環境温度を調節させる。温調部１３は、所定の位置の環境、例えば空調機１が設置された環境へと温度調節した空気１００を送り出すことで、その環境の温度つまり環境温度を調節する。
【０１１７】
ディスプレイ２での画像の色調の制御と、制御指令Ｓ１１に基づく空調機１の制御、すなわち環境温度の制御とは、相互に連係する。以下では、就寝時と起床時に分けて、環境調整システムによる制御技術をより具体的に説明する。
【０１１８】
就寝時では、まず、ディスプレイ２において映写制御部２１が、画像を沈静作用のある色調で映写部２４に表示もしくは投射させる。
【０１１９】
例えば白色の色温度が６０００Ｋ以下に相当するように変更することで、沈静作用のある色調が得られる。この色調によれば、その色調で表示等された画像を見ている人の入眠が促進させる。
【０１２０】
また、沈静作用のある色調を得ることに並行して、画像の輝度を低めてもよい。これによれば、周囲が暗くなるので、画像を見ている人の入眠がより促進させる。
【０１２１】
さらに、沈静作用のある色調を得ることに並行して、音響発生部４から発せられる音量を減少させてもよい。これによれば、周囲が静かになるので、音響を聴いている人の入眠がより促進される。
【０１２２】
上記制御の後、空調機１において温調制御部１１が、制御指令Ｓ１２に基づいて、すなわち制御指令Ｓ１１に基づいて、温調部１３に環境温度を低下させる。このとき、入眠時点から環境温度を低下させることが、肌寒さを感じるなどの不快感を入眠前に与えることがない点で望ましい。入眠時点は、例えば入眠センサによって検出される。
【０１２３】
このような制御技術によれば、表示等される画像の色調が沈静作用のある色調へと変化することにより、画像を観ている人に沈静作用のある色を感じさせて、その人の入眠を促進する。更にその後に環境温度が低下するので、睡眠時の体温が低下する。よって、円滑に人を睡眠へと誘導することができる。
【０１２４】
次に起床時では、まず、空調機１において温調制御部１１が、制御指令Ｓ１２に基づいて、すなわち制御指令Ｓ１１に基づいて、温調部１３に環境温度を上昇させる。
【０１２５】
その後、ディスプレイ２において映写制御部２１が、画像を興奮作用のある色調で映写部２４に表示もしくは投射させる。このとき、覚醒時点から画像を興奮作用のある色調に制御することが、覚醒が早められるなどの不快感を低減する点で望ましい。覚醒時点は、例えば覚醒センサによって検出される。
【０１２６】
例えばその色温度を１００００Ｋ以上に相当するように色調を変更することで、興奮作用のある色調が得られる。これによれば、その色調で表示等された画像を観た人の眠気が弱められる。
【０１２７】
また、興奮作用のある色調を得ることに並行して、画像の輝度を高めてもよい。これによれば、周囲が明るくなるので、画像を観た人の眠気が弱められる。
【０１２８】
さらに、興奮作用のある色調を得ることに並行して、音響発生部４から発せられる音量を増加させてもよい。これによれば、周囲が騒がしくなるので、音響を聴いた人の眠気が弱められる。
【０１２９】
このような制御技術によれば、環境温度が上昇するので睡眠時の体温が上昇して、寝ている人を覚醒へと導く。更にその後に表示等される画像の色調を興奮作用のある色調へと変化することにより、覚醒後に画像を観た人に興奮作用のある色を感じさせて、その人の眠気を弱める。よって、円滑に人を覚醒へと誘導する。
【０１３０】
図５は、ディスプレイ２と通信するリモートコントローラ３を含む環境調整システムを概念的に示すブロック図である。ディスプレイ２は、外部から入力される制御指令Ｓ２１に基づいて画像の色調などを制御してもよく、この態様が図５に示されている。図５で示される構成要素のうち、図４で示される構成要素と同じものには、同符号が付されている。
【０１３１】
リモートコントローラ３は、送信制御部３１及び送信部３２を備える。リモートコントローラ３には、ディスプレイ２に対する制御指令Ｓ２が入力される。制御指令Ｓ２には、例えば画像の色調や、その制御を開始する時刻に関する指令が含まれる。
【０１３２】
送信制御部３１は送信部３２を制御する。具体的に送信部３２には、入力された制御指令Ｓ２に基づいて制御指令Ｓ２０を与え、これに基づいてディスプレイ２へと制御指令Ｓ２１を送信させる。制御指令Ｓ２１は、制御指令Ｓ２に基づく画像の色調などの制御を空調機１にさせる。
【０１３３】
ディスプレイ２は、受信部２３を更に備える。受信部２３は、リモートコントローラ３から送信された制御指令Ｓ２１を受信し、これを制御指令Ｓ２２として映写制御部２１に入力する。
【０１３４】
映写制御部２１は、制御指令Ｓ２２に基づいて、すなわち制御指令Ｓ２１に基づいて、画像の色調などを制御する。さらに、制御指令Ｓ２２に基づいて、すなわち制御指令Ｓ２１に基づいて、制御指令Ｓ１１を送信部２５に送信させるための制御指令Ｓ１０を発生する。そして、これを送信部２５に入力することで、送信部２５に空調機１へと制御指令Ｓ１１を送信させる。制御指令Ｓ１１は上述したように、空調機１に環境温度の制御をさせる。
【０１３５】
空調機１は、受信部１４で制御指令Ｓ１１を受信し、上述したと同様にして環境温度を制御する。
【０１３６】
この場合にも、制御指令Ｓ１１に基づく空調機１の制御と、ディスプレイ２における画像の色調の制御とは、相互に連携し、上述したと同様に行われる。
【０１３７】
このような制御技術によれば、リモートコントローラ３へとディスプレイ２に対する制御指令Ｓ２を入力するだけで、自動的に空調機１の制御が行われる。
【０１３８】
図６は、環境調整システムの他の例を概念的に示すブロック図である。ディスプレイ２は、リモートコントローラ３を介して空調機１に環境温度を制御させてもよく、この態様が図６に示されている。図６で示される構成要素のうち、図５で示される構成要素と同じものには、同符号が付されている。
【０１３９】
ディスプレイ２において映写制御部２１は、送信部２５にリモートコントローラ３へと制御指令Ｓ１０１を送信させる。制御指令Ｓ１０１は、リモートコントローラ３を介して空調機１に環境温度を制御させる。
【０１４０】
リモートコントローラ３は、送信制御部３１、送信部３２及び受信部３３を備える。
【０１４１】
受信部３３は、ディスプレイ２から送信された制御指令Ｓ１０１を受信し、これを制御指令Ｓ１０２として送信制御部３１に入力する。
【０１４２】
送信制御部３１は、制御指令Ｓ１０２に基づいて制御指令１０３を送信部３２に与え、送信部３２に空調機１へと制御指令Ｓ１１を送信させる。
【０１４３】
空調機１は、受信部１４で制御指令Ｓ１１を受信し、上述したと同様にして環境温度を制御する。
【０１４４】
この場合にも、制御指令Ｓ１１に基づく空調機１の制御と、ディスプレイ２における画像の色調の制御とは、相互に連携し、上述したと同様に行われる。
【０１４５】
このような制御技術によれば、ディスプレイ２がリモートコントローラ３を介して自動的に空調機１の制御を行える。
【０１４６】
上述したいずれの制御技術においても、映写制御部２１は、空調機１に所定の制御をさせる直前に、制御指令Ｓ１１を送信部２５あるいはリモートコントローラ３に送信させてもよいし、あるいは空調機１に所定時刻から制御を開始させる指令を制御指令Ｓ１１に含ませて、前もって送信部２５あるいはリモートコントローラ３に空調機１へと送信させてもよい。
【０１４７】
第３の実施の形態．
図７は、本実施の形態にかかる環境調整システムを概念的に示すブロック図である。当該システムは、主としてリモートコントローラ３、空調機１及びディスプレイ２を備える。
【０１４８】
空調機１の構成は、第２の実施の形態で説明した図４で示される空調機１と同様であり、ディスプレイ２の構成は、第１の実施の形態で説明した図１で示されるディスプレイ２と同様であるので、各々の説明は省略する。なお、図１及び図４で示される構成要素と同じものには、同符号が付されている。
【０１４９】
リモートコントローラ３は、送信制御部３１及び送信部３２を備える。リモートコントローラ３には、空調機１に対する制御指令Ｓ１と、ディスプレイ２に対する制御指令Ｓ２とがそれぞれ入力される。制御指令Ｓ１は、例えば温調部１３で調節される環境温度に関する指令を含む。制御指令Ｓ２は、例えば画像の色調に関する指令を含む。
【０１５０】
送信制御部３１は送信部３２を制御する。具体的に送信部３２には、入力された制御指令Ｓ１に基づいて制御指令Ｓ１０を与えて、これに基づいて空調機１へと制御指令Ｓ１１を送信させる。また送信部３２には、入力された制御指令Ｓ２に基づいて制御指令Ｓ２０を与えて、これに基づいて空調機１へと制御指令Ｓ１１を送信させる。制御指令Ｓ１１は、制御指令Ｓ１に基づく環境温度の制御を空調機１にさせる。制御指令Ｓ２１は、制御指令Ｓ２に基づく画像の色調などの制御をディスプレイ２にさせる。
【０１５１】
空調機１では、受信部１４が制御指令Ｓ１１を受信し、これを制御指令Ｓ１２として温調制御部１１に入力する。そして温調制御部１１は、制御指令Ｓ１２に基づいて、すなわち制御指令Ｓ１１に基づいて、温調部１３に環境温度を制御させる。温調部１３は、所定の位置の環境、例えば空調機１が設置された環境へと温度調節した空気１００を送り出すことで、その環境の温度つまり環境温度を調節する。
【０１５２】
ディスプレイ２では、受信部２３が制御指令Ｓ２１を受信し、これを制御指令Ｓ２２として映写制御部２１に入力する。そして映写制御部２１は、制御指令Ｓ２２に基づいて、すなわち制御指令Ｓ２１に基づいて、画像の色調を制御する。具体的には、就寝時には沈静作用のある色調に、起床時には興奮作用のある色調にそれぞれ制御される。
【０１５３】
制御指令Ｓ１１に基づく空調機１の制御と、制御指令Ｓ２１に基づくディスプレイ２の制御とは、相互に連係する。
【０１５４】
上記環境調整システムによれば、リモートコントローラ３によって空調機１及びディスプレイ２を一元管理できるので、空調機１の制御とディスプレイ２の制御とを相互に関連付けることが容易である。
【０１５５】
以下では、就寝時と起床時に分けて、環境調整システムによる制御技術をより具体的に説明する。
【０１５６】
就寝時では、まず、ディスプレイ２において映写制御部２１が、制御指令Ｓ２２に基づいて、すなわち制御指令Ｓ２１に基づいて、画像を沈静作用のある色調で映写部２４に表示もしくは投射させる。
【０１５７】
例えば白色の色温度が６０００Ｋ以下に相当するように色調を変更することで、沈静作用のある色調が得られる。この色調によれば、その色調で表示等された画像を見ている人の入眠が促進させる。
【０１５８】
また、沈静作用のある色調を得ることに並行して、画像の輝度を低めてもよい。これによれば、周囲が暗くなるので、画像を見ている人の入眠がより促進させる。
【０１５９】
さらに、沈静作用のある色調を得ることに並行して、音響発生部４から発せられる音量を減少させてもよい。これによれば、周囲が静かになるので、音響を聴いている人の入眠がより促進される。
【０１６０】
上記制御の後、空調機１において温調制御部１１が、制御指令Ｓ１２に基づいて、すなわち制御指令Ｓ１１に基づいて、温調部１３に環境温度を低下させる。このとき、入眠時点から環境温度を低下させることが、肌寒さを感じるなどの不快感を入眠前に与えることがない点で望ましい。入眠時点は、例えば入眠センサによって検出される。
【０１６１】
このような制御技術によれば、表示等される画像の色調が沈静作用のある色調へと変化することにより、画像を観ている人に沈静作用のある色を感じさせて、その人の入眠を促進する。更にその後に環境温度が低下するので、睡眠時の体温が低下する。よって、円滑に人を睡眠へと誘導することができる。
【０１６２】
次に起床時では、まず、空調機１において温調制御部１１が、制御指令Ｓ１２に基づいて、すなわち制御指令Ｓ１１に基づいて、温調部１３に環境温度を上昇させる。
【０１６３】
その後、ディスプレイ２において映写制御部２１が、制御指令Ｓ２２に基づいて、すなわち制御指令Ｓ２１に基づいて、画像を興奮作用のある色調で映写部２４に表示もしくは投射させる。このとき、覚醒時点から画像を興奮作用のある色調に制御することが、覚醒が早められるなどの不快感を低減する点で望ましい。覚醒時点は、例えば覚醒センサによって検出される。
【０１６４】
例えばその色温度が１００００Ｋ以上に相当するように色調を変更するで、興奮作用のある色調が得られる。これによれば、その色調で表示等された画像を観た人の眠気が弱められる。
【０１６５】
また、興奮作用のある色調を得ることに並行して、画像の輝度を高めてもよい。これによれば、周囲が明るくなるので、画像を観た人の眠気が弱められる。
【０１６６】
さらに、興奮作用のある色調を得ることに並行して、音響発生部４から発せられる音量を増加させてもよい。これによれば、周囲が騒がしくなるので、音響を聴いた人の眠気が弱められる。
【０１６７】
このような制御技術によれば、環境温度が上昇するので睡眠時の体温が上昇して、寝ている人を覚醒へと導く。更にその後に表示等される画像の色調を興奮作用のある色調へと変化することにより、覚醒後に画像を観た人に興奮作用のある色を感じさせて、その人の眠気を弱める。よって、円滑に人を覚醒へと誘導する。
【０１６８】
図８は、環境調整システムの他の例を概念的に示すブロック図である。図８で示される構成要素のうち、図７で示される構成要素と同じものには、同符号が付されている。
【０１６９】
リモートコントローラ３には、制御指令Ｓ１，Ｓ２のいずれか一方が入力される。
【０１７０】
制御指令Ｓ１が入力された場合には、送信制御部３１は、制御指令Ｓ１０を送信部３２に与えることで、制御指令Ｓ１に基づく制御指令Ｓ１１を送信部３２に空調機１へと送信させる。さらに、制御指令Ｓ２０を送信部３２に与えることで、制御指令Ｓ２１を送信部３２にディスプレイ２へと制御指令Ｓ１に基づいて送信させる。
【０１７１】
このような制御技術によれば、リモートコントローラ３に空調機１に対する制御指令Ｓ１を入力するだけで、ディスプレイ２の制御が自動的に行われる。
【０１７２】
一方、制御指令Ｓ２が入力された場合には、送信制御部３１は、制御指令Ｓ２０を送信部３２に与えることで、制御指令Ｓ２に基づく制御指令Ｓ２１を送信部３２にディスプレイ２へと送信させる。さらに、制御指令Ｓ１０を送信部３２に与えることで、制御指令Ｓ１１を送信部３２に空調機１へと制御指令Ｓ２に基づいて送信させる。
【０１７３】
このような制御技術によれば、リモートコントローラ３にディスプレイ２に対する制御指令Ｓ２を入力するだけで、空調機１の制御が自動的に行われる。
【０１７４】
上述したいずれの制御技術においても、送信制御部３１は、空調機１及びディスプレイ２の各々に制御をさせる直前に、制御指令Ｓ１１，Ｓ２１を送信部１２にそれぞれ送信させてもよいし、あるいは空調機１及びディスプレイ２にそれぞれ所定時刻から制御を開始させる指令を制御指令Ｓ１１，Ｓ２１に含ませて、前もって送信部１２に空調機１及びディスプレイ２へとそれぞれ送信させてもよい。
【０１７５】
図９は、環境調整システムについて、その使用の形態が例示されている。図９では、音響発生部４は枕に内蔵され、リモートコントローラ３は携帯可能に示されている。
【０１７６】
上述したいずれの実施の形態においても、環境調整システムとして、例えばディスプレイ２を内蔵した空調機１を採用してもよい。
【０１７７】
また、上述したいずれの実施の形態においても、画像として動画を採用することで、ディスプレイ２で表示等されたその画像に注意を引かせられるので、画像の色調による沈静作用あるいは興奮作用を、静止画に比べてより効率よく与えることができる。
【０１７８】
また、上述したいずれの実施の形態においても、ディスプレイ２の電源、特に映写部２４の電源や、画像信号生成部６の電源のオン／オフを、映写制御部２１あるいは制御指令Ｓ２１によってそれぞれ制御してもよい。例えば映写部２４の電源は、入眠時点でオフに制御され、あるいは覚醒時点でオンに制御される。
【図面の簡単な説明】
【０１７９】
【図１】第１の実施の形態で説明される、環境調整システムを概念的に示すブロック図である。
【図２】第１の実施の形態で説明される、環境調整システムを概念的に示すブロック図である。
【図３】第１の実施の形態で説明される、環境調整システムを概念的に示すブロック図である。
【図４】第２の実施の形態で説明される、環境調整システムを概念的に示すブロック図である。
【図５】第２の実施の形態で説明される、環境調整システムを概念的に示すブロック図である。
【図６】第２の実施の形態で説明される、環境調整システムを概念的に示すブロック図である。
【図７】第３の実施の形態で説明される、環境調整システムを概念的に示すブロック図である。
【図８】第３の実施の形態で説明される、環境調整システムを概念的に示すブロック図である。
【図９】環境調整システムの使用の形態を概念的に示すブロック図である。
【符号の説明】
【０１８０】
１  空調機
２  ディスプレイ
３  リモートコントローラ
４  音響発生部
１１  温調制御部
２１  映写制御部
３１  送信制御部
１２，２５，３２  送信部
１４，２３  受信部
１３  温調部
２４  映写部
Ｓ１１，Ｓ２１，Ｓ１０１，Ｓ２０１，Ｓ１，Ｓ２，  制御指令
【図１】
2006095232.tif 000003
【図２】
2006095232.tif 000004
【図３】
2006095232.tif 000005
【図４】
2006095232.tif 000006
【図５】
2006095232.tif 000007
【図６】
2006095232.tif 000008
【図７】
2006095232.tif 000009
【図８】
2006095232.tif 000010
【図９】
2006095232.tif 000011
【手続補正書】
【提出日】平成18年1月13日(2006.1.13)
【手続補正１】
【補正対象書類名】特許請求の範囲
【補正対象項目名】請求項３４
【補正方法】変更
【補正の内容】
【請求項３４】
前記リモートコントローラ（３）に前記温調ステップの実行を指令する第３制御指令（Ｓ１）を入力するステップ
を前記ステップ（ａ）の前に実行し、
前記ステップ（ａ）では、
前記第３制御指令に基づく前記第２制御指令（Ｓ１１）を前記送信部（３２）に前記第２受信部（１４）へと送信させ、
前記第１制御指令（Ｓ２１）を前記送信部に前記第１受信部（２３）へと前記第３制御指令に基づいて送信させる、請求項３３記載の環境調整方法。
【手続補正２】
【補正対象書類名】特許請求の範囲
【補正対象項目名】請求項３５
【補正方法】変更
【補正の内容】
【請求項３５】
前記リモートコントローラ（３）に前記映写ステップの実行を指令する第３制御指令（Ｓ２）を入力するステップ
を前記ステップ（ａ）の前に実行し、
前記ステップ（ａ）では、
前記第３制御指令に基づく前記第１制御指令（Ｓ２１）を前記送信部（３２）に前記第１受信部（２３）へと送信させ、
前記第２制御指令（Ｓ１１）を前記送信部に前記第２受信部（１４）へと前記第３制御指令に基づいて送信させる、請求項３３記載の環境調整方法。
【手続補正３】
【補正対象書類名】明細書
【補正対象項目名】００４２
【補正方法】変更
【補正の内容】
【００４２】
この発明の請求項３４にかかる環境調整方法は、請求項３３記載の環境調整方法であって、前記リモートコントローラ（３）に前記温調ステップの実行を指令する第３制御指令（Ｓ１）を入力するステップを前記ステップ（ａ）の前に実行し、前記ステップ（ａ）では、前記第３制御指令に基づく前記第２制御指令（Ｓ１１）を前記送信部（３２）に前記第２受信部（１４）へと送信させ、前記第１制御指令（Ｓ２１）を前記送信部に前記第１受信部（２３）へと前記第３制御指令に基づいて送信させる。
【手続補正４】
【補正対象書類名】明細書
【補正対象項目名】００４３
【補正方法】変更
【補正の内容】
【００４３】
この発明の請求項３５にかかる環境調整方法は、請求項３３記載の環境調整方法であって、前記リモートコントローラ（３）に前記映写ステップの実行を指令する第３制御指令（Ｓ２）を入力するステップを前記ステップ（ａ）の前に実行し、前記ステップ（ａ）では、前記第３制御指令に基づく前記第１制御指令（Ｓ２１）を前記送信部（３２）に前記第１受信部（２３）へと送信させ、前記第２制御指令（Ｓ１１）を前記送信部に前記第２受信部（１４）へと前記第３制御指令に基づいて送信させる。